(57)【要約】      （修正有）【課題】ファスナ部の少なくとも一部の色を袋本体の他の部分の色と異なる色にするとともに、ファスナ部の外端縁の位置をずらすことによって、ファスナ部が配設された出入口を容易に見分けることができ、かつ、ファスナ部の外端縁同士の間を容易に広げることができ、容易にファスナ部を開けて出入口を開くことができ、構成が簡素で、コストが低く、耐久性が高く、使い勝手が良い寝具等を内部に収納する減圧収納袋を提供する。【解決手段】樹脂フィルムから成る一対の袋本体を重ね合わせて形成された袋状部材であり、開閉可能な出入口と、該出入口を除く一対の袋本体の周縁を気密に固着することによって形成された閉止縁部と、前記出入口に配設され、該出入口を開放及び閉止させるファスナ部とを設けて減圧収納袋を構成する。さらに、前記ファスナ部の少なくとも一部の色が前記袋本体の他の部分の色と違え、前記ファスナ部の一対の外端縁の位置を互いにずらして形成する。【選択図】図１
0003164822.tif 000002
【実用新案登録請求の範囲】
【請求項１】
（ａ）樹脂フィルムから成る一対の袋本体を重ね合わせて形成された袋状部材であり、開閉可能な出入口と、該出入口を除く一対の袋本体の周縁を気密に固着することによって形成された閉止縁部と、前記出入口に配設され、該出入口を開放及び閉止させるファスナ部とを有する減圧収納袋であって、
（ｂ）前記ファスナ部の少なくとも一部の色が前記袋本体の他の部分の色と異なり、
（ｃ）前記ファスナ部の一対の外端縁の位置が互いにずれていることを特徴とする減圧収納袋。
【請求項２】
前記ファスナ部は、前記袋本体において出入口側に位置する一対の側縁部、該側縁部の内側面に配設された一対の帯状ファスナ部材を含み、
一方の側縁部の外端縁が他方の側縁部の外端縁よりも外方に突出している請求項１に記載の減圧収納袋。
【請求項３】
少なくとも一方の帯状ファスナ部材の色が前記袋本体の他の部分の色と異なる請求項２に記載の減圧収納袋。
【請求項４】
前記帯状ファスナ部材には色が付与され、前記袋本体は無色透明である請求項３に記載の減圧収納袋。
【考案の詳細な説明】
【技術分野】
【０００１】
本考案は、減圧収納袋に関するものであり、出入口に開閉機構としてのファスナを備え、特に、家庭において衣類、寝具等を内部に収納した状態で減圧することによって嵩（かさ）を小さくして保管する用途に適した減圧収納袋に関するものである。
【背景技術】
【０００２】
従来、家庭内の衣装ケース、箪笥（たんす）、押入、クローゼット等の収納スペースを有効利用するために、セーター等の厚手の衣類や布団等の寝具などの収納物を密封式の収納袋内に収納した後、袋の出入口に配設されたファスナを閉じ、家庭用電気掃除機等の吸引装置によって収納袋内の空気を吸引排出することにより、収納物を圧縮減容して嵩を小さくした状態で保管する減圧収納袋が提案されている（例えば、特許文献１参照。）。
【０００３】
このような減圧収納袋を使用することによって、衣類や寝具などの収納物を１／３程度に圧縮減容して保管することができるので、家庭内の収納スペースを極めて有効に利用することができる。また、減圧収納袋の内部が減圧状態又は真空状態に維持されるので、防カビ、防虫等の効果も期待することができる。
【先行技術文献】
【特許文献】
【０００４】
【特許文献１】特開２００７−２０４０９７号公報
【考案の概要】
【考案が解決しようとする課題】
【０００５】
しかしながら、前記従来の減圧収納袋は、収納物を取り出す際に、袋の出入口を開くことが困難である。一般的に、袋の本体は透明なフィルム状の合成樹脂から成り、かつ、ファスナも透明な合成樹脂から成り、袋の本体に一体的に取り付けられているので、ファスナが配設された出入口を見分けることが困難である。さらに、出入口を見分けることができても、ファスナより外側においては、対向するフィルム状の袋の本体同士が密着しているので、密着した袋の本体の端縁同士の間を広げることが困難であり、そのため、ファスナを開けて袋の出入口を開くことが困難である。
【０００６】
本考案は、前記従来の問題点を解決して、ファスナ部の少なくとも一部の色を袋本体の他の部分の色と異なる色にするとともに、ファスナ部の外端縁の位置をずらすことによって、ファスナ部が配設された出入口を容易に見分けることができ、かつ、ファスナ部の外端縁同士の間を容易に広げることができ、容易にファスナ部を開けて出入口を開くことができ、構成が簡素で、コストが低く、耐久性が高く、使い勝手のよい減圧収納袋を提供することを目的とする。
【課題を解決するための手段】
【０００７】
そのために、本考案の減圧収納袋においては、樹脂フィルムから成る一対の袋本体を重ね合わせて形成された袋状部材であり、開閉可能な出入口と、該出入口を除く一対の袋本体の周縁を気密に固着することによって形成された閉止縁部と、前記出入口に配設され、該出入口を開放及び閉止させるファスナ部とを有する減圧収納袋であって、前記ファスナ部の少なくとも一部の色が前記袋本体の他の部分の色と異なり、前記ファスナ部の一対の外端縁の位置が互いにずれている。
【０００８】
本考案の他の減圧収納袋においては、さらに、前記ファスナ部は、前記袋本体において出入口側に位置する一対の側縁部、該側縁部の内側面に配設された一対の帯状ファスナ部材を含み、一方の側縁部の外端縁が他方の側縁部の外端縁よりも外方に突出している。
【０００９】
本考案の更に他の減圧収納袋においては、さらに、少なくとも一方の帯状ファスナ部材の色が前記袋本体の他の部分の色と異なる。
【００１０】
本考案の更に他の減圧収納袋においては、さらに、前記帯状ファスナ部材には色が付与され、前記袋本体は無色透明である。
【考案の効果】
【００１１】
本考案によれば、ファスナ部の少なくとも一部の色が袋本体の他の部分の色と異なる色であるとともに、ファスナ部の外端縁の位置がずれている。これにより、ファスナ部が配設された出入口を容易に見分けることができ、かつ、ファスナ部の外端縁同士の間を容易に広げることができ、構成が簡素で、コストが低く、耐久性が高く、使い勝手のよい減圧収納袋を提供することができる。
【図面の簡単な説明】
【００１２】
【図１】本考案の実施の形態における減圧収納袋の出入口を示す平面図である。
【図２】本考案の実施の形態における減圧収納袋の要部拡大平面図であり図１におけるＡ部拡大平面図である。
【図３】本考案の実施の形態における減圧収納袋の構造を示す断面図であり図２におけるＢ−Ｂ矢視断面図である。
【図４】本考案の実施の形態における減圧収納袋の斜視図である。
【図５】本考案の実施の形態における減圧収納袋内の空気を排出する動作を示す斜視図である。
【図６】本考案の実施の形態における減圧収納袋内の空気を排出した後の状態を示す斜視図である。
【考案を実施するための形態】
【００１３】
以下、本考案の実施の形態について図面を参照しながら詳細に説明する。
【００１４】
図１は本考案の実施の形態における減圧収納袋の出入口を示す平面図、図２は本考案の実施の形態における減圧収納袋の要部拡大平面図であり図１におけるＡ部拡大平面図、図３は本考案の実施の形態における減圧収納袋の構造を示す断面図であり図２におけるＢ−Ｂ矢視断面図、図４は本考案の実施の形態における減圧収納袋の斜視図である。
【００１５】
図において、１０は本実施の形態における袋としての減圧収納袋であり、略矩（く）形に形成された２枚のフィルム状の袋本体１１を重ね合わせ、矩形の三辺を接着、熱融着、超音波溶着等の方法によって気密に固着することにより形成された袋状部材であり、排気弁３０を有する。なお、１２は２枚の袋本体１１を重ね合わせて気密に固着することによって形成された閉止縁部であり、略矩形の減圧収納袋１０の閉じた三辺に相当する。また、図４に示されるように、２枚の袋本体１１の残り一辺は、固着されておらず開閉可能な出入口１３となっている。該出入口１３には、開閉機構としてのファスナ部１４が配設され、該ファスナ部１４を操作することによって、出入口１３を開放及び閉止させることができる。
【００１６】
前記減圧収納袋１０は、いかなる用途にも使用することができ、その内部に収納される対象物である後述される収納物３１は、いかなる種類のものであってもよいが、好適には、ある程度の柔軟性を備えるものである。本実施の形態においては、説明の都合上、前記収納物３１が肌着、セーター等の衣類や毛布、布団、シーツ等の寝具であり、前記収納物３１を内部に収納した状態で減圧収納袋１０内の空気を吸引して排出し、前記収納物３１を圧縮減容して嵩を小さくした状態で保管するために前記減圧収納袋１０を使用する場合についてのみ説明することとする。
【００１７】
なお、本実施の形態において、減圧収納袋１０における各部の構成及び動作を説明するために使用される上、下、左、右、前、後等の方向を示す表現は、絶対的なものでなく相対的なものであり、前記減圧収納袋１０における各部が図に示される姿勢である場合に適切であるが、その姿勢が変化した場合には姿勢の変化に応じて変更して解釈されるべきものである。
【００１８】
そして、前記袋本体１１は、厚さが、例えば、５０〜７５〔μｍ〕程度の柔軟性を備える樹脂フィルムから成り、典型的には、内部の収納物３１を外側から視認することができるように、透明又は半透明であるが、不透明であってもよい。また、前記袋本体１１は、ガスバリア性を備えることが望ましく、例えば、ポリエチレン、ポリエステル、ポリアミド等から成る複数の樹脂層をラミネートして成る基材の表面にアルミニウムを蒸着したフィルムや、シリカを蒸着したフィルムであってもよいし、ガスバリア性が良好な二軸延伸ポリビニルアルコールフィルム、二軸延伸ポリエチレンテレフタレートフィルム、エチレン−ビニルアルコール共重合体フィルム、ポリ塩化ビニリデンフィルム等のフィルム、又は、該フィルムを含むラミネートフィルムであってもよい。
【００１９】
２枚の袋本体１１のうちの一方には、袋本体１１を厚さ方向に貫通する図示されない排気孔（こう）が形成され、該排気孔に対応する位置に、図４に示されるように、排気弁３０が配設されている。前記排気孔は、例えば、直径が１０〜２０〔ｍｍ〕程度の円形の孔（あな）であることが望ましいが、円形以外の形状であってもよく、大きさも適宜変更することができる。また、排気孔は、必ずしも、前記袋本体１１の中央付近に形成される必要はなく、いかなる位置に形成されてもよいが、周縁からはある程度離れた位置に形成されることが望ましい。
【００２０】
また、前記排気弁３０は、いわゆる逆止弁であって、減圧収納袋１０内部の空気を排気孔を通して外部に排出するとともに、外気が排気孔を通して減圧収納袋１０内に流入することを阻止する一方向弁として機能する。なお、前記排気弁３０は、特許文献１にも記載されているように、周知のものであるので、その構造についての説明は省略する。
【００２１】
本実施の形態において、ファスナ部１４は、２枚の袋本体１１の各々における出入口１３側の部分である側縁部１５、及び、該側縁部１５の内側面に貼（てん）付された帯状ファスナ部材２１を含むものである。ここでは、説明の都合上、図３において右側に位置するファスナ部１４、側縁部１５及び帯状ファスナ部材２１を第１ファスナ部１４ａ、第１側縁部１５ａ及び第１帯状ファスナ部材２１ａと称し、図３において左側に位置するファスナ部１４、側縁部１５及び帯状ファスナ部材２１を第２ファスナ部１４ｂ、第２側縁部１５ｂ及び第２帯状ファスナ部材２１ｂと称する。なお、前記帯状ファスナ部材２１は、典型的には、袋本体１１と同様に、柔軟性を備える樹脂フィルムから成り、接着、熱融着、超音波溶着等の方法によって気密に固着することにより、側縁部１５の内側面に貼付されている。
【００２２】
そして、各帯状ファスナ部材２１の互いに対向する面には、帯状ファスナ部材２１の長手方向に延在する咬（か）み合い条部２２が一体的に形成されている。図３に示される例において、第１帯状ファスナ部材２１ａに形成された第１咬み合い条部２２ａは連続する凸条の部材であり、第２帯状ファスナ部材２１ｂに形成された第２咬み合い条部２２ｂは連続する凹溝を備え、前記凸条と凹溝とが咬み合うことによって、対向する一対の帯状ファスナ部材２１同士が気密に結合し、第１ファスナ部１４ａと第２ファスナ部１４ｂとが密着して、ファスナ部１４が閉じ、出入口１３が閉止される。これにより、減圧収納袋１０の内部は、外気、つまり、外部の空気から気密に遮断された状態となる。
【００２３】
なお、図２に示される例においては、咬み合い条部２２が２本並んで形成されているが、必ずしも２本である必要はなく、１本であっても、３本以上であってもよい。また、第１帯状ファスナ部材２１ａに形成された第１咬み合い条部２２ａが連続する凹溝を備え、第２帯状ファスナ部材２１ｂに形成された第２咬み合い条部２２ｂが連続する凸条の部材であってもよい。
【００２４】
本実施の形態においては、ファスナ部１４の少なくとも一部の色が、減圧収納袋１０の他の部分、具体的には、袋本体１１の他の部分の色と異なる色になっている。典型的には、袋本体１１が無色透明であり、第２帯状ファスナ部材２１ｂが薄いブルー（水色）又はグリーン（緑色）である。図４において、ファスナ部１４の一部分に付与されたハッチングは、当該部分の色が、減圧収納袋１０の他の部分の色と異なることを示している。
【００２５】
また、ファスナ部１４の外端縁１６の位置がずらされている。図２及び３に示される例では、第１側縁部１５ａの外端縁１６である第１外端縁１６ａよりも第２側縁部１５ｂの外端縁１６である第２外端縁１６ｂの方が外側に位置する。すなわち、第１外端縁１６ａよりも第２外端縁１６ｂの方が外方に突出している。なお、第１外端縁１６ａと第２外端縁１６ｂとの位置のずれ量、すなわち、第１外端縁１６ａよりも第２外端縁１６ｂが外方に突出している量は、例えば、２〜７〔ｍｍ〕程度であるが、任意に設定することができる。
【００２６】
次に、前記構成の減圧収納袋１０の使用方法について説明する。
【００２７】
図５は本考案の実施の形態における減圧収納袋内の空気を排出する動作を示す斜視図、図６は本考案の実施の形態における減圧収納袋内の空気を排出した後の状態を示す斜視図である。
【００２８】
まず、減圧収納袋１０の使用者は、減圧収納袋１０のファスナ部１４を開いて出入口１３を開放する。続いて、使用者は、前記出入口１３から収納物３１を減圧収納袋１０内に収納する。図に示される例において、収納物３１は寝具としての布団であり、折り畳んで重ねた状態で減圧収納袋１０内に収納されている。
【００２９】
続いて、使用者は、ファスナ部１４を閉じて出入口１３を閉止する。具体的には、第１帯状ファスナ部材２１ａに形成された凸条の部材である第１咬み合い条部２２ａと、第２帯状ファスナ部材２１ｂに形成された凹溝である第２咬み合い条部２２ｂとを咬み合わせて、第１ファスナ部１４ａと第２ファスナ部１４ｂとを密着させてファスナ部１４を閉止する。これにより、減圧収納袋１０の内部は、外気から気密に遮断された状態となる。
【００３０】
続いて、使用者は、家庭用電気掃除機を用意し、図５に示されるように、その吸引筒３５の先端を減圧収納袋１０の袋本体１１に配設された排気弁３０の表面に押し当てる。なお、前記吸引筒３５は、可撓（とう）性を備える吸引ホース３６の先端に接続され、吸引ホース３６の基端は図示されない家庭用電気掃除機の本体に接続されている。また、一般的な家庭用電気掃除機においては、吸引筒３５の先端に床、畳等の清掃に適した形状の開口を備える吸引ヘッドが着脱可能に取り付けられるが、ここでは、このような吸引ヘッドを取り外した状態で使用する。さらに、吸引筒３５の先端に延長用吸引筒が着脱可能に取り付けられる場合には、延長用吸引筒も取り外すことが望ましい。
【００３１】
また、前記吸引筒３５の先端から電源ライン等を接続するための端子等が突出している場合、前記吸引筒３５の先端面内縁の径が通常の値よりも著しく大きかったり小さかったりする場合、前記吸引筒３５の先端面内縁の形状が通常の円形でなく、矩形等の形状である場合等には、先端が平坦（たん）で、先端面内縁の形状が円形であり、かつ、その径が通常の値である図示されない筒状のアダプタを前記吸引筒３５の先端に取り付け、前記アダプタの先端を排気弁３０の表面に押し当てることが望ましい。
【００３２】
続いて、使用者が前記家庭用電気掃除機を作動させ吸引を開始させると、排気弁３０は開状態となる。これにより、減圧収納袋１０内の空気は、排気弁３０を通って、吸引されて排出される。
【００３３】
そして、図６に示されるように、減圧収納袋１０内の空気が十分に排出されて減圧状態又は真空状態となり、収納物３１が十分に圧縮減容されると、使用者は前記家庭用電気掃除機を停止させる。すると、吸引筒３５の吸引力が消滅するので、排気弁３０は閉状態に復帰する。これにより、減圧収納袋１０の内部は、外気から気密に遮断された状態となるので、減圧状態又は真空状態が維持される。また、減圧収納袋１０内の圧力が外気の圧力よりも低くなるので、圧力差によって、排気弁３０の閉状態が維持される。
【００３４】
したがって、収納物３１を圧縮減容して嵩を小さくした状態で保管することができ、家庭内の収納スペースを極めて有効に利用することができる。また、減圧収納袋１０の内部が減圧状態又は真空状態に維持されるので、防カビ、防虫等の効果も期待することができる。
【００３５】
また、減圧収納袋１０から収納物３１を取り出す際、使用者は、ファスナ部１４を開けて出入口１３を開放する。なお、排気弁３０がそれ自体を開状態とするためのコック等の弁操作部材を具備するものである場合には、使用者は、まず、弁操作部材を操作して排気弁３０を開状態とし、減圧収納袋１０の内部を大気圧状態とした後に、ファスナ部１４を開けることが望ましい。
【００３６】
ファスナ部１４を開ける際には、図６においてハッチングで示されるように、ファスナ部１４の少なくとも一部、典型的には、第２帯状ファスナ部材２１ｂの色が袋本体１１の色と異なる色となっているので、使用者は、ファスナ部１４を容易に、かつ、確実に視認することができる。したがって、使用者は、ファスナ部１４が配設された出入口１３がどこにあるのかを迷うことなく把握することができる。
【００３７】
続いて、使用者は、手指で密着している第１ファスナ部１４ａと第２ファスナ部１４ｂとを分離する。具体的は、第１ファスナ部１４ａにおける第１咬み合い条部２２ａより外側の部分と、第２ファスナ部１４ｂにおける第２咬み合い条部２２ｂより外側の部分とを、手指によってそれぞれ把持して両側に引っ張ることにより、第１ファスナ部１４ａと第２ファスナ部１４ｂとを分離する。この場合、第１ファスナ部１４ａの第１外端縁１６ａの位置と第２ファスナ部１４ｂの第２外端縁１６ｂの位置とがずれているので、第１ファスナ部１４ａにおける第１咬み合い条部２２ａより外側の部分が第２ファスナ部１４ｂにおける第２咬み合い条部２２ｂより外側の部分に密着していても、使用者は、手指の先でまさぐることによって、第１ファスナ部１４ａにおける第１咬み合い条部２２ａより外側の部分と、第２ファスナ部１４ｂにおける第２咬み合い条部２２ｂより外側の部分とを容易に把持することができる。
【００３８】
このように、第１ファスナ部１４ａと第２ファスナ部１４ｂとを分離することによって、出入口１３が開放されるので、使用者は、減圧収納袋１０から収納物３１を取り出すことができる。
【００３９】
なお、ここでは、帯状ファスナ部材２１が袋本体１１とは別の部材である例、すなわち、帯状ファスナ部材２１が側縁部１５の内側面に固着されたものである例についてのみ説明したが、帯状ファスナ部材２１は袋本体１１の側縁部１５と一体的に形成されたものであってもよい。
【００４０】
また、第１外端縁１６ａよりも第２外端縁１６ｂの方が外方に突出している例についてのみ説明したが、第２外端縁１６ｂよりも第１外端縁１６ａの方が外方に突出していてもよい。
【００４１】
さらに、第１帯状ファスナ部材２１ａ及び第２帯状ファスナ部材２１ｂの外端縁よりも、第１側縁部１５ａ及び第２側縁部１５ｂの外端縁の方が外方に突出している例についてのみ説明したが、第１帯状ファスナ部材２１ａ及び第２帯状ファスナ部材２１ｂの外端縁が第１側縁部１５ａ及び第２側縁部１５ｂの外端縁と一致していてもよい。すなわち、第１外端縁１６ａは第１側縁部１５ａ及び第１帯状ファスナ部材２１ａの外端縁であって、第２外端縁１６ｂは第２側縁部１５ｂ及び第２帯状ファスナ部材２１ｂの外端縁であってもよい。また、第１側縁部１５ａ及び第２側縁部１５ｂの外端縁よりも、第１帯状ファスナ部材２１ａ及び第２帯状ファスナ部材２１ｂの外端縁の方が外方に突出していてもよい。すなわち、第１外端縁１６ａは第１帯状ファスナ部材２１ａの外端縁であって、第２外端縁１６ｂは第２帯状ファスナ部材２１ｂの外端縁であってもよい。
【００４２】
さらに、第２帯状ファスナ部材２１ｂ全体の色が袋本体１１の他の部分の色と異なる例についてのみ説明したが、第２帯状ファスナ部材２１ｂの一部のみの色が袋本体１１の他の部分の色と異なっていてもよい。また、第１帯状ファスナ部材２１ａの色が袋本体１１の他の部分の色と異なっていてもよい。さらに、第１側縁部１５ａ又は第２側縁部１５ｂの色が袋本体１１の他の部分の色と異なっていてもよい。さらに、ファスナ部１４全体の色が袋本体１１の他の部分の色と異なっていてもよい。
【００４３】
このように、本実施の形態において、減圧収納袋１０は、樹脂フィルムから成る一対の袋本体１１を重ね合わせて形成された袋状部材であり、開閉可能な出入口１３と、出入口１３を除く一対の袋本体１１の周縁を気密に固着することによって形成された閉止縁部１２と、出入口１３に配設され、出入口１３を開放及び閉止させるファスナ部１４とを有する。そして、ファスナ部１４の少なくとも一部の色が袋本体１１の他の部分の色と異なり、ファスナ部１４の一対の外端縁１６の位置が互いにずれている。
【００４４】
これにより、ファスナ部１４が配設された出入口１３を容易に見分けることができ、かつ、ファスナ部１４の外端縁１６同士の間を容易に広げることができ、構成が簡素で、コストが低く、耐久性が高く、使い勝手のよい減圧収納袋１０を提供することができる。
【００４５】
また、ファスナ部１４は、袋本体１１において出入口１３側に位置する一対の側縁部１５、側縁部１５の内側面に配設された一対の帯状ファスナ部材２１を含み、一方の側縁部１５の外端縁１６が他方の側縁部１５の外端縁１６よりも外方に突出している。したがって、ファスナ部１４の構造を簡素化することができ、一般的な構造の帯状ファスナ部材２１を使用することができるので、コストを低減することができる。また、側縁部１５における外端縁１６寄りの部分が柔軟性を備えるので、出入口１３を開放する際に、側縁部１５における外端縁１６寄りの部分を容易に把持することができる。
【００４６】
さらに、少なくとも一方の帯状ファスナ部材２１の色が袋本体１１の他の部分の色と異なる。この場合、帯状ファスナ部材２１だけを、袋本体１１と色の異なる部材とすればよいので、コストを低減することができる。
【００４７】
さらに、帯状ファスナ部材２１には色が付与され、袋本体１１は無色透明である。この場合、内部に収納された収納物３１の外側からの視認性が低下することがない。
【００４８】
なお、本考案は前記実施の形態に限定されるものではなく、本考案の趣旨に基づいて種々変形させることが可能であり、それらを本考案の範囲から排除するものではない。
【産業上の利用可能性】
【００４９】
本考案は、減圧収納袋に適用することができる。
【符号の説明】
【００５０】
１０    減圧収納袋
１１    袋本体
１２    閉止縁部
１３    出入口
１４    ファスナ部
１４ａ    第１ファスナ部
１４ｂ    第２ファスナ部
１５    側縁部
１５ａ    第１側縁部
１５ｂ    第２側縁部
１６    外端縁
２１    帯状ファスナ部材
２１ａ    第１帯状ファスナ部材
２１ｂ    第２帯状ファスナ部材
【図１】
0003164822.tif 000003
【図２】
0003164822.tif 000004
【図３】
0003164822.tif 000005
【図４】
0003164822.tif 000006
【図５】
0003164822.tif 000007
【図６】
0003164822.tif 000008